(57)【要約】【課題】  爆発による高速ガスにより除塵フィルタに圧力波を加えて付着した塵埃を的確に吹き飛ばすことができる除塵機の除塵フィルタ清掃方法及びその除塵機を目的とする。【解決手段】  火薬８ａを爆発させて発生した高速ガスにより除塵フィルタ６により区画される除塵機１の清浄室３内を瞬間的に高圧化し、除塵フィルタ６に加えられる圧力波と通過する高速ガス流で除塵フィルタ６の表面に付着した塵埃を吹き飛ばし、濾過室２側に払い落とす除塵機のフィルタ清掃方法及び、塵埃を吸気口２ｂより吸い込む濾過室２と、塵埃が濾過された空気を導入する清浄室３と、排気口４ａを形成した排気室４と、該排気室４の吸引ファン５と、濾過室２と清浄室３を仕切る除塵フィルタ６と、火薬８ａの爆発による除塵用の圧力波を除塵フィルタ６に与える除塵手段８を外部から挿入する封鎖自在な接続筒７とを備えた除塵機である。【選択図】図１
2013013691.tif 000002
【特許請求の範囲】
【請求項１】
火薬を爆発させて発生した高速ガスにより除塵フィルタにより区画される除塵機の清浄室内を瞬間的に高圧化し、除塵フィルタに加えられる圧力波と通過する高速ガス流で除塵フィルタの表面に付着した塵埃を吹き飛ばし、濾過室側に払い落とすことを特徴とする除塵機のフィルタ清掃方法。
【請求項２】
塵埃を吸気口より吸い込む濾過室と、塵埃が濾過された空気を導入する清浄室と、排気口を形成した排気室と、該排気室の吸引ファンと、濾過室と清浄室を仕切る除塵フィルタと、火薬の爆発による除塵用の圧力波と通過する高速ガスを除塵フィルタに与える除塵手段を外部から挿入する封鎖自在な接続筒とを備えたことを特徴とする除塵機。
【請求項３】
除塵フィルタに補強網を設けた請求項２に記載の除塵機。
【発明の詳細な説明】
【技術分野】
【０００１】  本発明は除塵機の除塵フィルタに付着した塵埃を除去する除塵機の除塵フィルタの清掃方法及びその除塵機に関するものである。
【背景技術】
【０００２】  従来、業務用の電気掃除機の場合、除塵フィルタに付着した塵埃を圧縮空気放出手段から放出される圧縮空気を除塵フィルタに作用させて塵埃を除去するものがある（例えば、特許文献１参照）。【０００３】  しかし、圧縮空気を発生させる機構が必要となり、構成部品数が多くなるうえに構造が複雑となり電気掃除機が大きく重いものとなり、取り扱いが厄介となるうえに、製品コストの上昇が避けられないという問題がある。しかも、圧縮空気は流速が遅いため除塵フィルタに加えられる衝撃が弱く除塵フィルタから塵埃を的確に除去できないという問題がある。
【先行技術文献】
【特許文献】
【０００４】
【特許文献１】  特開２００９−１１６１６号公報
【発明の概要】
【発明が解決しようとする課題】
【０００５】  本発明は、爆発による高速ガスにより除塵フィルタに圧力波を加えて付着した塵埃を的確に吹き飛ばすことができる除塵機の除塵フィルタ清掃方法及びその除塵機を提供することを目的とするものである。
【課題を解決するための手段】
【０００６】  本発明は火薬を爆発させて発生した高速ガスにより除塵フィルタにより区画される除塵機の清浄室内を瞬間的に高圧化し、除塵フィルタに加えられる圧力波と通過する高速ガス流で除塵フィルタの表面に付着した塵埃を吹き飛ばし、濾過室側に払い落とす除塵機のフィルタ清掃方法を請求項１の発明とし、塵埃を吸気口より吸い込む濾過室と、塵埃が濾過された空気を導入する清浄室と、排気口を形成した排気室と、該排気室の吸引ファンと、濾過室と清浄室を仕切る除塵フィルタと、火薬の爆発による除塵用の圧力波と通過する高速ガスを除塵フィルタに与える除塵手段を外部から挿入する封鎖自在な接続筒とを備えた除塵機を請求項２の発明とし、除塵フィルタに補強網を設けた除塵機を請求項３の発明とするものである。【０００７】  フィルタに一定の強さの風を長時間送っても一部分の塵埃が取れて風が抜けるのみで全体に付着堆積した塵埃は除去されない。そのためには瞬時でいいから爆発で発生するような強風をフィルタ全面に与えるべきである。フィルタの容積は小さく爆風を利用することは最適な方法である。
【発明の効果】
【０００８】  本発明は、接続筒を介して挿入される除塵手段によって発生された火薬の爆発による高速ガスを除塵機の清浄室内に加えることにより、圧力波と高速ガスを除塵フィルタに加え、除塵フィルタを瞬間的に膨張させて衝撃を与えることにより、除塵フィルタの表面に付着した塵埃を吹き飛ばすとともに、除塵フィルタのメッシュを高速ガス流が通過することにより、メッシュに付着している塵埃は吹き飛ばされて濾過室内に払い落とされる。高速ガスは濾過室内に流入することにより断熱膨張され、低圧低温のガスとなって濾過室の吸気口より排出される。また、低圧低温のガス流は減速されて吸気口から排気されるので、払い落とされた塵埃が排気気流とともに外部に排出されることが防止される。
【図面の簡単な説明】
【０００９】
【図１】  本発明の除塵機を示す断面図である。
【図２】  同じく要部の断面図である。
【発明を実施するための形態】
【００１０】  次に、本発明を図示の除塵機に基づいて詳細に説明する。
１は除塵機であり、該除塵機１は吸引ホース２ａが接続された吸気口２ｂより塵埃を吸い込む濾過室２と、塵埃が濾過された空気を導入させる清浄室３と、清浄空気を排気する排気口４ａが形成した排気室４と、該排気室４に設けられた吸引ファン５と、濾過室２と清浄室３とを仕切る除塵フィルタ６と、火薬８ａの爆発による除塵用の圧力波と高速ガスを除塵フィルタ６に与える除塵手段８を外部から挿入する封鎖自在な接続筒７とからなる。
【００１１】  前記除塵フィルタ６は補強網６ａと布フィルタ６ｂとからなるものとし、爆発による高速ガス流により布フィルタ６ｂが破損しないようにしている。接続筒７は除塵手段８としての導火線８ｂ付の火薬８ａを外部から清浄室３内への設置するためのものであり、７ａは前記接続筒７の開口を封鎖する遮蔽蓋、９は除塵機１の排気室４と濾過室２連結用のクランプである。
布フィルタ６ｂ以外に紙或いは不織布製などのフィルタがある。
【００１２】    このような除塵機１は吸引ファン５を駆動し、吸引気流を発生させれば濾過室２は負圧となり吸引ホース２ａから塵埃を含有する空気流は濾過室２に吸引されることとなる。吸引気流中の塵埃は除塵フィルタ６により除去され、塵埃が除去された清浄空気は清浄室３に吸引される。
【００１３】清浄室３に吸引された清浄空気は排気室４の排気口４ａより外部に排気される。このようにして除塵を繰り返すことにより、除塵フィルタ６に塵埃が付着堆積して除塵機能が低下したら、接続筒７の遮蔽蓋７ａを外し、接続筒７の開口を通じて除塵手段８としての火薬８ａを図１，２に示されるように、清浄室３内に設置された火薬８ａの導火線８ｂは接続筒７を封鎖する遮蔽蓋７ａの小孔７ｂを通して露出しているので露出部に着火する。
【００１４】  この着火により火薬８ａは清浄室３内で爆発して高速ガス流を発生させる。この高速ガスにより清浄室３内は瞬間的に高圧化され、除塵フィルタ６には圧力波が加えられる。この圧力波により布フィルタ６ｂは瞬間的に膨張するが、この膨張は補強網６ａにより抑えられるので布フィルタ６の破損は防止される。圧力波による布フィルタ６ｂの瞬間的な膨張によって布フィルタ６ｂの表面に付着していた塵埃は瞬時に払い落とされる。さらに、布フィルタ６ｂのメッシュを通過する高速ガス流によりメッシュに付着している塵埃は吹き飛ばされる。
【００１５】  除塵手段８の火薬量は清浄室３の内容積に応じて増減することはいうまでもないが、一般の業務用の電気掃除機は清浄室３の内容積が約１０ｌであり、この場合の火薬８ａは爆竹花火の２０連の内の１本の使用で除塵することが出来る。
【００１６】  このようにして清浄室３から濾過室２に流入して体積を急激に拡大された高速ガスは断熱膨張により温度が下がり圧力も低下する。低温低圧となったガスは減速され、濾過室２の吸気口２ｂより外部に低速で排出されるので、濾過室２内に払い落された塵埃が吸気口２ｂを通じて外部に排出されることは防止される。このようにして除塵フィルタ６の清掃が完了した後は、クランプ９を外して濾過室２と排気室４とを分離して濾過室２内に溜まっている塵埃を廃棄すればよい。
【符号の説明】
【００１７】１    除塵機
２    濾過室
２ａ  吸引ホース
２ｂ  吸気口
３    清浄室
４    排気室
４ａ  排気口
５    吸引ファン
６    除塵フィルタ
６ａ  補強網
６ｂ  布フィルタ
７    接続筒
７ａ  遮蔽蓋
７ｂ  小孔
８    除塵手段
８ａ  火薬
８ｂ  導火線
９    クランプ
【図１】
2013013691.tif 000003
【図２】
2013013691.tif 000004